(57)【要約】【課題】災害時等において既存のネットワークが輻輳している状態であっても、ユーザが能動的に安否情報を確認する必要無く、安否情報を取得及び伝達可能であり、また、ユーザが希望する相手に対してのみ安否情報を伝達することを可能にする。【解決手段】情報通信端末装置は、事前処理として予め送信先端末ＩＤ、送信元端末ＩＤ、解読キー及び受信解読キーが登録される。そして、情報通信端末装置は、入力された安否情報を登録された解読キーで暗号化し、送信元端末ＩＤを付加して近接する他の端末装置へ自動送信する。また、情報通信端末装置は、近接する他の端末装置から送信される安否情報を自動的に受信し、付加される端末ＩＤを登録した端末ＩＤ及び自端末ＩＤにより判定することで、特定の端末装置からの安否情報のみを、登録した受信解読キーを用いて復号化して表示するようにしている。【選択図】図２
2009259044.tif 000002
【特許請求の範囲】
【請求項１】
安否情報を生成する生成手段と、
予め自端末装置に割り当てられる自端末識別情報を記憶する記憶部と、
予め指定された端末装置に割り当てられる指定端末識別情報を登録する登録手段と、
前記生成手段で生成された安否情報に前記自端末識別情報及び前記指定端末識別情報を付加する付加手段と、
他の端末装置から送信される安否情報を自動的に受信する受信手段と、
前記付加手段で処理された安否情報及び前記受信手段で受信された安否情報を蓄積する蓄積手段と、
前記蓄積手段に蓄積された安否情報を予め設定された通信エリア内の端末装置に自動的に送信する送信手段と、
前記受信手段で受信された安否情報から当該安否情報に付加された識別情報を抽出する抽出手段と、
前記抽出手段で抽出された識別情報が前記自端末識別情報及び前記指定端末識別情報のうち少なくともいずれか一方と一致するか否かを判定する判定手段と、
前記判定手段で前記識別情報が前記自端末識別情報及び前記指定端末識別情報のうち少なくともいずれか一方と一致すると判定された場合、当該識別情報が付加された安否情報を提示する提示手段と
を具備することを特徴とする情報通信端末装置。
【請求項２】
前記指定端末識別情報は、前記安否情報の送信先の端末識別情報であり、
前記判定手段は、前記受信された安否情報に付加された送信先の端末識別情報が前記自端末識別情報と一致するか否かを判定し、
前記提示手段は、前記判定手段で一致すると判定された場合、前記受信された安否情報を提示することを特徴とする請求項１記載の情報通信端末装置。
【請求項３】
前記指定端末識別情報は、前記安否情報の送信元の端末識別情報であり、
前記判定手段は、前記受信された安否情報に付加された自端末識別情報が前記送信元の端末識別情報と一致するか否かを判定し、
前記提示手段は、前記判定手段で一致すると判定された場合、前記受信された安否情報を提示することを特徴とする請求項１又は２に記載の情報通信端末装置。
【請求項４】
前記生成された安否情報を暗号化するための暗号キーを登録する暗号キー登録手段と、
前記生成された安否情報の少なくとも一部を前記暗号キーを用いて暗号化する暗号化手段と、
前記予め指定された端末装置から送信される暗号化された安否情報を復号化するための復号キーを登録する復号キー登録手段と、
前記判定手段で前記自端末識別情報及び前記指定端末識別情報のうち少なくともいずれか一方と一致すると判定された識別情報が付加された安否情報を前記復号キーを用いて復号化する復号化手段と
をさらに具備することを特徴とする請求項１記載の情報通信端末装置。
【請求項５】
安否情報を生成し、
予め自端末装置に割り当てられる自端末識別情報を記憶し、
予め指定された端末装置に割り当てられる指定端末識別情報を登録し、
前記生成された安否情報に前記自端末識別情報及び前記指定端末識別情報を付加し、
他の端末装置から送信される安否情報を自動的に受信し、
前記付加処理された安否情報及び前記受信された安否情報を蓄積し、
前記蓄積された安否情報を予め設定された通信エリア内の端末装置に自動的に送信し、
前記受信された安否情報から当該安否情報に付加された識別情報を抽出し、
前記抽出された識別情報が前記自端末識別情報及び前記指定端末識別情報のうち少なくともいずれか一方と一致するか否かを判定し、
前記識別情報が前記自端末識別情報及び前記指定端末識別情報のうち少なくともいずれか一方と一致すると判定された場合、当該識別情報が付加された安否情報を提示することを特徴とする安否情報伝達方法。
【請求項６】
前記指定端末識別情報は、前記安否情報の送信先の端末識別情報であり、
前記受信された安否情報に付加された送信先の指定端末識別情報が前記自端末識別情報と一致するか否かを判定し、
前記判定処理で一致すると判定された場合、前記受信された安否情報を提示することを特徴とする請求項５記載の安否情報伝達方法。
【請求項７】
前記指定端末識別情報は、前記安否情報の送信元の端末識別情報であり、
前記受信された安否情報に付加された自端末識別情報が前記送信元の端末識別情報と一致するか否かを判定し、
前記判定処理で一致すると判定された場合、前記受信された安否情報を提示することを特徴とする請求項５又は６に記載の安否情報伝達方法。
【請求項８】
前記生成された安否情報を暗号化するための暗号キーを登録し、
前記生成された安否情報の少なくとも一部を前記暗号キーを用いて暗号化し、
前記予め指定された端末装置から送信される暗号化された安否情報を復号化するための復号キーを登録し、
前記判定処理で前記自端末識別情報及び前記指定端末識別情報のうち少なくともいずれか一方と一致すると判定された識別情報が付加された安否情報を前記復号キーを用いて復号化することを特徴とする請求項５記載の安否情報伝達方法。
【請求項９】
コンピュータを備えた情報通信端末装置で使用されるプログラムであって、
安否情報を生成させる生成処理と、
予め自端末装置に割り当てられる自端末識別情報を記憶させる記憶処理と、
予め指定された端末装置に割り当てられる指定端末識別情報を登録させる登録処理と、
前記生成処理で生成された安否情報に前記自端末識別情報及び前記指定端末識別情報を付加させる付加処理と、
他の端末装置から送信される安否情報を自動的に受信させる受信処理と、
前記付加処理された安否情報及び前記受信された安否情報を蓄積させる蓄積処理と、
前記蓄積された安否情報を予め設定された通信エリア内の端末装置に自動的に送信させる送信処理と、
前記受信された安否情報から当該安否情報に付加された識別情報を抽出させる抽出処理と、
前記抽出された識別情報が前記自端末識別情報及び前記指定端末識別情報のうち少なくともいずれか一方と一致するか否かを判定させる判定処理と、
前記判定処理で前記識別情報が前記自端末識別情報及び前記指定端末識別情報のうち少なくともいずれか一方と一致すると判定された場合、当該識別情報が付加された安否情報を提示させる提示処理と
を前記コンピュータに実行させることを特徴とするプログラム。
【請求項１０】
コンピュータを備えた情報通信端末装置で使用されるプログラムを記憶する記録媒体であって、
安否情報を生成させる生成処理と、
予め自端末装置に割り当てられる自端末識別情報を記憶させる記憶処理と、
予め指定された端末装置に割り当てられる指定端末識別情報を登録させる登録処理と、
前記生成処理で生成された安否情報に前記自端末識別情報及び前記指定端末識別情報を付加させる付加処理と、
他の端末装置から送信される安否情報を自動的に受信させる受信処理と、
前記付加処理された安否情報及び前記受信された安否情報を蓄積させる蓄積処理と、
前記蓄積された安否情報を予め設定された通信エリア内の端末装置に自動的に送信させる送信処理と、
前記受信された安否情報から当該安否情報に付加された識別情報を抽出させる抽出処理と、
前記抽出された識別情報が前記自端末識別情報及び前記指定端末識別情報のうち少なくともいずれか一方と一致するか否かを判定させる判定処理と、
前記判定処理で前記識別情報が前記自端末識別情報及び前記指定端末識別情報のうち少なくともいずれか一方と一致すると判定された場合、当該識別情報が付加された安否情報を提示させる提示処理と
を前記コンピュータに実行させるプログラムを記憶することを特徴とする記録媒体。
【発明の詳細な説明】
【技術分野】
【０００１】
本発明は、災害時における被災者の安否情報伝達に用いられる情報通信端末装置、安否情報伝達方法、情報通信端末装置の処理を実行するためのプログラム及びそのプログラムを記録した記録媒体に関する。
【背景技術】
【０００２】
大地震等の災害の発生時には、被災地の住民の安否を確認するため、固定電話ないし携帯電話の音声通話による被災地への発信が集中する。このとき、通信事業者が行う発着信規制により、電話がかかりにくい状態が長時間続くことがある。
そこで、通信事業者は、伝言ダイヤル１７１や災害用伝言板サービス等による個人の安否情報を伝達する仕組みを安否情報サービスとして提供している（例えば、非特許文献１乃至３参照）。この他にも、携帯電話のメール機能を利用して、自身の安否情報を家族や知人へ伝達する方法もある。
【０００３】
【非特許文献１】「特集  電話系サービスの動向  新たなサービスの展開と機能拡充（３）災害時の輻輳緩和及び通信手段確保用としての災害対策全国利用型伝言ダイヤル（仮称）」，ＮＴＴ技術ジャーナル，Ｖｏｌ．９，Ｎｏ．１２，Ｄｃｅ．１９９７，ｐｐ．６６
【０００４】
【非特許文献２】ＮＴＴ東日本災害時伝言ダイヤル、http://www.ntt-east.co.jp/saigai/voice171/goriyou.html
【０００５】
【非特許文献３】ＮＴＴドコモ  iモード災害用伝言板サービス、http://www.nttdocomo.co.jp/info/disaster/guidance/index.html
【発明の開示】
【発明が解決しようとする課題】
【０００６】
ところが、上記通信事業者が提供する安否情報サービスでは、ユーザが自身の安否情報を登録しても、伝達したい家族や知人がそのサービスにアクセスして安否情報の登録を確認する必要がある。また、この種の安否情報サービスでは、電話番号をキーに安否情報を閲覧可能であるため、例えば自身の安否情報を知らせたくない相手でも、電話番号が既知であれば、安否情報を閲覧できてしまう。また、携帯電話のメール機能を利用して、家族や知人へ安否情報を伝達する場合、災害時においては、ネットワークが輻輳することが予想され、伝達できないこともありえる。
【０００７】
本発明は上記事情によりなされたものであり、その目的は、災害時等において既存のネットワークが輻榛している状態であっても、ユーザが能動的に安否情報を確認する必要が無く、ユーザが希望する相手方のみに安否情報を通知することが可能な情報通信端末装置、安否情報伝達方法、情報通信端末装置の処理を実行するためのプログラム及びそのプログラムを記録した記録媒体を提供することにある。
【課題を解決するための手段】
【０００８】
上記目的を達成するため、本発明に係る情報通信端末装置は、安否情報を生成する生成手段と、予め自端末装置に割り当てられる自端末識別情報を記憶する記憶部と、予め指定された端末装置に割り当てられる指定端末識別情報を登録する登録手段と、前記生成手段で生成された安否情報に前記自端末識別情報及び前記指定端末識別情報を付加する付加手段と、他の端末装置から送信される安否情報を自動的に受信する受信手段と、前記付加手段で処理された安否情報及び前記受信手段で受信された安否情報を蓄積する蓄積手段と、前記蓄積手段に蓄積された安否情報を予め設定された通信エリア内の端末装置に自動的に送信する送信手段と、前記受信手段で受信された安否情報から当該安否情報に付加された識別情報を抽出する抽出手段と、前記抽出手段で抽出された識別情報が前記自端末識別情報及び前記指定端末識別情報のうち少なくともいずれか一方と一致するか否かを判定する判定手段と、前記判定手段で前記識別情報が前記自端末識別情報及び前記指定端末識別情報のうち少なくともいずれか一方と一致すると判定された場合、当該識別情報が付加された安否情報を提示する提示手段とを具備する。
【０００９】
上記構成の情報通信端末装置は、通信エリア内の他の端末装置に対して自動的に安否情報を送受信する。送信された安否情報は、その端末装置からその端末装置が近接する他の端末装置に送信される。そして、いくつかの端末装置を経て、指定端末識別情報により指定される端末装置に伝達される。情報通信端末装置は、受信した安否情報に付加された識別情報が自端末識別情報及び指定端末識別情報のうち少なくともいずれか一方と一致するか否かを判定し、一致する場合のみ安否情報を提示する。これにより、情報通信端末装置は、既存のネットワークを経由せずに、近接する他の端末装置を介して、予め指定した端末装置に安否情報を伝達することが可能となる。また、情報通信端末装置は、自端末装置を指定した安否情報のみをユーザに提示することが可能となる。
【００１０】
また、前記指定端末識別情報は、前記安否情報の送信先の端末識別情報であり、前記判定手段は、前記受信された安否情報に付加された送信先の端末識別情報が前記自端末識別情報と一致するか否かを判定し、前記提示手段は、前記判定手段で一致すると判定された場合、前記受信された安否情報を提示することを特徴とする。
【００１１】
これにより、情報通信端末装置は、他の端末装置を介して送信先の端末識別情報により指定された端末装置へ安否情報を伝達することが可能となる。また、情報通信端末装置は、他の端末装置を介して受信される安否情報のうち、自端末宛に送信される安否情報のみをユーザに提示することが可能となる。
【００１２】
また、前記指定端末識別情報は、前記安否情報の送信元の端末識別情報であり、前記判定手段は、前記受信された安否情報に付加された自端末識別情報が前記送信元の端末識別情報と一致するか否かを判定し、前記提示手段は、前記判定手段で一致すると判定された場合、前記受信された安否情報を提示することを特徴とする。
【００１３】
これにより、情報通信端末装置は、他の端末装置を介して受信される安否情報のうち、予め指定した端末からの安否情報のみをユーザに提示することが可能となる。
さらに、情報通信端末装置は、前記生成された安否情報を暗号化するための暗号キーを登録する暗号キー登録手段と、前記生成された安否情報の少なくとも一部を前記暗号キーを用いて暗号化する暗号化手段と、前記予め指定された端末装置から送信される暗号化された安否情報を復号化するための復号キーを登録する復号キー登録手段と、前記判定手段で前記自端末識別情報及び前記指定端末識別情報のうち少なくともいずれか一方と一致すると判定された識別情報が付加された安否情報を前記復号キーを用いて復号化する復号化手段とをさらに具備することを特徴とする。
【００１４】
すなわち、暗号化された安否情報を復号可能な復号キーを登録している端末装置のみで、受信された安否情報は復号化されてユーザに提示されることとなる。これにより、安否情報を知らせたくない相手には安否情報を閲覧させないようにすることができ、安否情報という個人情報を保護することができる。
【００１５】
また、本発明に係る安否情報伝達方法は、安否情報を生成し、予め自端末装置に割り当てられる自端末識別情報を記憶し、予め指定された端末装置に割り当てられる指定端末識別情報を登録し、前記生成された安否情報に前記自端末識別情報及び前記指定端末識別情報を付加し、他の端末装置から送信される安否情報を自動的に受信し、前記付加処理された安否情報及び前記受信された安否情報を蓄積し、前記蓄積された安否情報を予め設定された通信エリア内の端末装置に自動的に送信し、前記受信された安否情報から当該安否情報に付加された識別情報を抽出し、前記抽出された識別情報が前記自端末識別情報及び前記指定端末識別情報のうち少なくともいずれか一方と一致するか否かを判定し、前記識別情報が前記自端末識別情報及び前記指定端末識別情報のうち少なくともいずれか一方と一致すると判定された場合、当該識別情報が付加された安否情報を提示することを特徴とする。
【００１６】
上記構成の安否情報伝達方法では、安否情報は、通信エリア内の他の端末装置へ自動的に送信され、送信された端末装置及びその端末装置からさらに送信された端末装置を介して、指定端末識別情報により指定される端末装置に伝達される。また、受信された安否情報は、その安否情報に付加された識別情報と自端末識別情報及び指定端末識別情報のうち少なくともいずれか一方とが一致するか否かを判定され、一致する場合にのみユーザに提示される。これにより、ユーザは、既存のネットワーク経由でなく、近接する他の端末装置を介して、予め指定した端末装置に安否情報を伝達することが可能となる。また、自端末装置を指定した安否情報のみを閲覧することが可能となる。
【００１７】
また、前記指定端末識別情報は、前記安否情報の送信先の端末識別情報であり、前記受信された安否情報に付加された送信先の指定端末識別情報が前記自端末識別情報と一致するか否かを判定し、前記判定処理で一致すると判定された場合、前記受信された安否情報を提示することを特徴とする。
【００１８】
これにより、安否情報は、他の端末装置を介して、送信先の端末識別情報により指定された端末装置へ伝達される。また、他の端末装置を介して受信される安否情報のうち、自端末宛に送信される安否情報のみがユーザに提示される。
また、前記指定端末識別情報は、前記安否情報の送信元の端末識別情報であり、前記受信された安否情報に付加された自端末識別情報が前記送信元の端末識別情報と一致するか否かを判定し、前記判定処理で一致すると判定された場合、前記受信された安否情報を提示することを特徴とする。
【００１９】
これにより、安否情報伝達方法では、他の端末装置を介して受信される安否情報のうち、予め指定した端末からの安否情報のみがユーザに提示される。
さらに、安否情報伝達方法は、前記生成された安否情報を暗号化するための暗号キーを登録し、前記生成された安否情報の少なくとも一部を前記暗号キーを用いて暗号化し、前記予め指定された端末装置から送信される暗号化された安否情報を復号化するための復号キーを登録し、前記判定処理で前記自端末識別情報及び前記指定端末識別情報のうち少なくともいずれか一方と一致すると判定された識別情報が付加された安否情報を前記復号キーを用いて復号化することを特徴とする。
【００２０】
すなわち、暗号化された安否情報を復号可能な復号キーを登録している端末装置のみで、受信された安否情報は復号化されてユーザに提示されることとなる。これにより、安否情報を知らせたくない相手には安否情報を閲覧させないようにすることができ、安否情報という個人情報を保護することができる。
【００２１】
また、本発明に係るプログラムは、コンピュータを備えた情報通信端末装置で使用されるプログラムであって、安否情報を生成させる生成処理と、予め自端末装置に割り当てられる自端末識別情報を記憶させる記憶処理と、予め指定された端末装置に割り当てられる指定端末識別情報を登録させる登録処理と、前記生成処理で生成された安否情報に前記自端末識別情報及び前記指定端末識別情報を付加させる付加処理と、他の端末装置から送信される安否情報を自動的に受信させる受信処理と、前記付加処理された安否情報及び前記受信された安否情報を蓄積させる蓄積処理と、前記蓄積された安否情報を予め設定された通信エリア内の端末装置に自動的に送信させる送信処理と、前記受信された安否情報から当該安否情報に付加された識別情報を抽出させる抽出処理と、前記抽出された識別情報が前記自端末識別情報及び前記指定端末識別情報のうち少なくともいずれか一方と一致するか否かを判定させる判定処理と、前記判定処理で前記識別情報が前記自端末識別情報及び前記指定端末識別情報のうち少なくともいずれか一方と一致すると判定された場合、当該識別情報が付加された安否情報を提示させる提示処理とを前記コンピュータに実行させることを特徴とする。
【００２２】
上記処理を実行させるプログラムにより、既存のネットワークを経由せずに、近接する他の端末装置を介して、予め指定した端末装置に安否情報を伝達させること、及び、自端末装置を指定した安否情報のみをユーザに提示することが可能となる。
また、本発明に係る記録媒体は、コンピュータを備えた情報通信端末装置で使用されるプログラムを記憶する記録媒体であって、安否情報を生成させる生成処理と、予め自端末装置に割り当てられる自端末識別情報を記憶させる記憶処理と、予め指定された端末装置に割り当てられる指定端末識別情報を登録させる登録処理と、前記生成処理で生成された安否情報に前記自端末識別情報及び前記指定端末識別情報を付加させる付加処理と、他の端末装置から送信される安否情報を自動的に受信させる受信処理と、前記付加処理された安否情報及び前記受信された安否情報を蓄積させる蓄積処理と、前記蓄積された安否情報を予め設定された通信エリア内の端末装置に自動的に送信させる送信処理と、前記受信された安否情報から当該安否情報に付加された識別情報を抽出させる抽出処理と、前記抽出された識別情報が前記自端末識別情報及び前記指定端末識別情報のうち少なくともいずれか一方と一致するか否かを判定させる判定処理と、前記判定処理で前記識別情報が前記自端末識別情報及び前記指定端末識別情報のうち少なくともいずれか一方と一致すると判定された場合、当該識別情報が付加された安否情報を提示させる提示処理とを前記コンピュータに実行させるプログラムを記憶することを特徴とする。
【００２３】
これにより、記録媒体は、既存のネットワークを経由せずに、近接する他の端末装置を介して、予め指定した端末装置に安否情報を伝達させること、及び、自端末装置を指定した安否情報のみをユーザに提示することが可能なプログラムを記録することとなる。
【発明の効果】
【００２４】
本発明によれば、災害時等において既存のネットワークが輻輳している状態であっても、ユーザが能動的に安否情報を確認する必要が無く、ユーザが希望する相手方のみに安否情報を通知することが可能な情報通信端末装置、安否情報伝達方法、情報通信端末装置の処理を実行するためのプログラム及びそのプログラムを記録した記録媒体を提供することができる。
【発明を実施するための最良の形態】
【００２５】
以下では、図面を参照しながら本発明に係る情報通信端末装置、安否情報伝達方法、情報通信端末装置の処理を実行するためのプログラム及びそのプログラムを記録した記録媒体について詳細に説明する。
図１は、本発明の一実施形態に係る安否情報伝達システムの構成を示す概略図である。この安否情報伝達システムは、情報通信端末装置Ｔ１〜Ｔ５を備えている。情報通信端末装置Ｔ１〜Ｔ５は、ユーザが安否情報等を入力するためのボタン及び安否情報を視認するための表示画面を具備した専用端末、又は、ＰＤＡ（Personal Digital Assistant）、携帯電話又はノートＰＣ（Personal Computer）等の兼用端末である。情報通信端末装置が兼用端末である場合には、各端末装置にインストールするアプリケーションとして本発明を実装し、端末装置を一意に特定する端末ＩＤとして、ＭＡＣ（Media Access Control）アドレス又は携帯電話番号等を流用する。図１において、情報通信端末装置Ｔ１〜Ｔ５それぞれは、予め設定された通信エリアを有しており、災害時には、この通信エリア内に位置する他の情報通信端末装置との間で安否情報を自動的に送受信する。
【００２６】
図２は、本発明の一実施形態に係る情報通信端末装置Ｔ１の機能構成を示すブロック図である。情報通信端末装置Ｔ１は、制御ユニット１０を備える。この制御ユニット１０には、入力部２０、記憶部３０、暗号化部４０、付加部５０及び解読部６０が接続されている。また、情報通信端末装置Ｔ１は、予め設定された通信エリア内に位置する他の端末装置Ｔ２，Ｔ３との間で無線通信が可能な送信部７０及び受信部８０を備えている。この送信部７０及び受信部８０には蓄積部９０が接続されている。
【００２７】
記憶部３０は、予め自端末装置に割り当てられる自端末ＩＤを記憶しており、制御ユニット１０へこの自端末ＩＤを供給する。
入力部２０は、情報通信端末装置Ｔ１のユーザとのインターフェースとなるもので、ユーザが入力する安否情報、送信先として指定した端末装置の送信先端末ＩＤ、送信元として指定した端末装置の送信元端末ＩＤ、自端末から外部へ送信される安否情報を暗号化するための解読キー及び送信元として指定した端末装置からの安否情報を解読するための受信解読キーを制御ユニット１０に供給する。ここで、入力部２０における入力方法は、ボタン及びスイッチ等の物理的手段により直接入力する方法でも、ＰＣと接続させてＰＣ上から入力する方法でもよい。このとき、情報通信端末装置とＰＣとの接続は、無線通信方式による接続でも、情報通信端末装置にＵＳＢモジュールを備えさせてこのＵＳＢを経由した接続でもよい。
【００２８】
暗号化部４０は、制御ユニット１０から安否情報及び解読キーを受け取り、この安否情報の少なくとも一部をこの解読キーを用いて暗号化して付加部５０に供給する。なお、暗号化部４０による暗号化は、パスワード付きＺｉｐ等のデータ圧縮手法を用いてもよいし、ＲＳＡのような公開鍵暗号方式又はＦＥＡＬ（Fast data Encipherment Algorithm）のような秘密鍵暗号方式を用いてもよい。
【００２９】
付加部５０は、暗号化部４０で暗号化された安否情報に、制御ユニット１０から供給される自端末ＩＤ及び送信先端末ＩＤを付加する。ここで、各端末ＩＤは、例えば安否情報のヘッダ部分にＦｒｏｍ及びＴｏとして付加される。
受信部８０は、無線通信方式を利用し、通信エリア内に位置する他の端末装置から送信される安否情報を自動的に受信する。  
蓄積部９０は、付加部５０から供給される安否情報と、受信部８０で受信される安否情報とを蓄積する。  
送信部７０は、無線通信方式を利用し、蓄積部９０に蓄積された安否情報を通信エリア内に位置する他の端末装置に自動的に送信する。送信部７０及び受信部８０における無線通信方式は、例えばＷｉ−Ｆｉ（登録商標）のような無線ＬＡＮ方式、赤外線通信及びＢｌｕｅｔｏｏｔｈ（登録商標）等が用いられる。
【００３０】
解読部６０は、送信元端末ＩＤ及び受信解読キーを制御ユニット１０から受け取り、受信された安否情報に付加された自端末ＩＤが登録された送信元端末ＩＤと一致するか否かを判定し、一致する場合、受信解読キーを用いて復号化する。また、解読部６０は、自端末ＩＤを制御ユニット１０から受け取り、復号化された安否情報に付加された送信先端末ＩＤが自端末ＩＤと一致するか否かを判定し、一致する場合、その安否情報を出力部１００へ供給する。なお、安否情報が暗号化されていない場合は、送信先端末ＩＤを判定した後、復号化処理を行わず、安否情報を出力部１００へ供給する。
【００３１】
出力部１００は、解読部６０からの安否情報を、例えば、ユーザが視認可能な液晶画面等の表示画面を用いて外部に出力する。
上記制御ユニット１０は、例えばマイクロプロセッサからなるＣＰＵ（Central Processing Unit）を備えたもので、次のように構成される。すなわち、制御ユニット１０は、主制御部１１と、キー登録部１２と、端末ＩＤ登録部１３とを備える。このうち、主制御部１１、キー登録部１２及び端末ＩＤ登録部１３は、アプリケーション・プログラムを上記ＣＰＵに実行させることによりその機能が実現される。なお、このアプリケーション・プログラムは、例えば、このアプリケーション・プログラムが記録された記録媒体を取り込むことにより得られる。
【００３２】
主制御部１１は、情報通信端末装置Ｔ１の動作を統括的に制御するものである。主制御部１１は、入力部２０から解読キー及び受信解読キーを受け取ると、これらのキーをキー登録部１２に供給する。また、主制御部１１は、入力部２０から送信先端末ＩＤ及び送信元端末ＩＤを受け取ると、これらの端末ＩＤを端末ＩＤ登録部１３に供給する。また、主制御部１１は、入力部２０から自端末の安否情報を受け取ると、この安否情報を暗号化部４０に供給する。また、主制御部１１は、記憶部３０から自端末ＩＤを読み出し、この自端末ＩＤを付加部５０及び解読部６０に供給する。
【００３３】
キー登録部１２は、主制御部１１から解読キー及び受信解読キーを受け取り、これらキーを登録する。また、キー登録部１２は、主制御部１１の指示により、解読キーを暗号化部４０に供給し、受信解読キーを解読部６０に供給する。
端末ＩＤ登録部１３は、主制御部１１から送信先端末ＩＤ及び送信元端末ＩＤを受け取り、これら端末ＩＤを登録する。また、端末ＩＤ登録部１３は、主制御部１１の指示により、送信先端末ＩＤを付加部５０及び解読部６０に供給し、送信元端末ＩＤを解読部６０に供給する。
【００３４】
以下では、上記構成の情報通信端末装置における安否情報の伝達処理を詳細に説明する。なお、以下の例では、使用する端末は個人一人ひとりが常に携帯していることを前提としているが、登録する安否情報として、家族分を登録することで、一家族に一つの端末とする利用もできる。
【００３５】
図３は、本発明の一実施形態に係る安否情報伝達システムの構成例を示す概要図である。ここでは、情報通信端末装置が父、母、子の３人から構成される家族により利用される例を説明する。図３において、父が使用する情報通信端末装置を端末装置ＴＦとし、母が使用する情報通信端末装置を端末装置ＴＭとし、子が使用する情報通信端末装置を端末装置ＴＣとする。Ｔ６〜Ｔｎは、端末装置ＴＦ，ＴＭ，ＴＣの周囲に位置する他の端末装置である。
【００３６】
図４は、本発明の一実施形態に係る主制御部１１の事前設定の処理を示すフローチャートである。各端末装置ＴＦ，ＴＭ，ＴＣにおいて、それぞれの端末装置からの安否情報が取得できるように事前設定が行われる。また、図５は、本発明の一実施形態に係る主制御部１１の事前設定後の出力例を示す。図５では、自端末装置で設定した送信先端末ＩＤや送信元端末ＩＤに関する情報の他、安否情報についての項目も記載されている。この記載部分は、安否情報を受信した後に変更される。
【００３７】
まず、各端末装置ＴＦ，ＴＭ，ＴＣのユーザは、自己が入力する安否情報を解読するための解読キーを入力部２０に入力する。主制御部１１は、この解読キーをキー登録部１２に登録する（ステップ４ａ）。このとき、端末装置ＴＦでは解読キー「ｏｔｏｕｓａｎ」が登録され、端末装置ＴＭでは解読キー「ｏｋａｓａｎ」が登録され、端末装置ＴＣでは解読キー「ｋｏｄｏｍｏ」が登録される。
【００３８】
次に、ユーザは、送信先端末ＩＤを入力部２０に入力する。主制御部１１は、この送信先端末ＩＤを端末ＩＤ登録部１３に登録する（ステップ４ｂ）。このとき、端末装置ＴＦでは母と子の端末ＩＤ「０００００００００２」，「００００００００００３」が登録され、端末装置ＴＭでは父と子の端末ＩＤ「０００００００００１」，「００００００００００３」が登録され、端末装置ＴＣでは父と母の端末ＩＤ「０００００００００１」，「００００００００００２」が登録される。
【００３９】
続いてユーザは、送信元端末ＩＤを入力部２０に入力する。主制御部１１は、この送信元端末ＩＤを端末ＩＤ登録部１３に登録する。このとき、端末装置ＴＦでは母と子の端末ＩＤ「０００００００００２」，「００００００００００３」が登録され、端末装置ＴＭでは父と子の端末ＩＤ「０００００００００１」，「００００００００００３」が登録され、端末装置ＴＣでは父と母の端末ＩＤ「０００００００００１」，「００００００００００２」が登録される。
【００４０】
続いてユーザは、受信を希望する端末装置からの安否情報を解読するための受信解読キーを、入力部２０に入力する。主制御部１１は、この受信解読キーをキー登録部１２に登録して（ステップ４ｄ）、処理を終了する。このとき、端末装置ＴＦでは母と子の解読キー「ｏｋａｓａｎ」，「ｋｏｄｏｍｏ」が受信解読キーとして登録され、端末装置ＴＭでは父と子の解読キー「ｏｔｏｕｓａｎ」，「ｋｏｄｏｍｏ」が受信解読キーとして登録され、端末装置ＴＣでは父と母の解読キー「ｏｔｏｕｓａｎ」，「ｏｋａｓａｎ」が受信解読キーとして登録される。
【００４１】
なお、暗号化部４０による暗号化と、解読部６０による復号化とは、一対の処理であるため、暗号化するための解読キーと復号化するための受信解読キーとは対応している必要がある。つまり、事前に送信側のユーザと受信側のユーザとで解読キーと受信解読キーとを対応付けておく必要がある。本実施形態では、父母子の家族であるため、事前に互いの解読キーを聞いておき、それを入力することを想定している。
【００４２】
また、上記事前設定の例では、端末ＩＤとして１０桁の数字を用いているが、端末装置を一意に特定できるならば、これに限定されるわけではない。また、解読キーとして、アルファベットの文字を表示しているが、「＊(アスタリスク)」等の文字で隠匿してもよい。
【００４３】
図６は、本発明の一実施形態に係る主制御部１１の安否情報入力時の処理を示すフローチャートである。  
まず、主制御部１１は、解読キーがキー登録部１２に登録済みか否かを判断する（ステップ６ａ）。登録済みである場合（ステップ６ａのＹｅｓ）、ステップ６ｂに移行する。登録済みでない場合（ステップ６ａのＮｏ）、解読キーの入力を要求し、入力される解読キーをキー登録部１２に登録する（ステップ６ｃ）。
【００４４】
災害が発生した場合、端末装置のユーザは、端末装置へ自身の安否情報を入力する。主制御部１１は、ステップ６ｂにおいて、安否情報の入力の有無を判定し、入力があった場合、ステップ６ｄでこの安否情報と、キー登録部１２に登録された解読キーとを暗号化部４０に供給する。続いて、主制御部１１は、自端末ＩＤと、端末ＩＤ登録部１３に登録された送信先端末ＩＤとを付加部５０に供給する（ステップ６ｅ）。次に、主制御部１１は、付加部５０から出力される安否情報が蓄積部９０に蓄積されたか否かを判定する（ステップ６ｆ）。蓄積部９０に安否情報が蓄積された場合（ステップ６ｆのＹｅｓ）、送信部７０及び受信部８０を他の端末装置からの通信を待受ける状態としたのち（ステップ６ｇ）、処理を終了させる。
【００４５】
図７は、本発明の一実施形態に係る入力部２０から安否情報を入力する際の入力画面の一例を示す図である。  
図７において、入力される安否情報は、必要情報が項目分けされており、各項目において選択式となっている。ここで、安否情報内容のうち、「Ａ）安否状態」は暗号化されておらず、安否情報を受信した端末装置が、安否情報を送信した端末装置の解読キーを受信解読キーとして登録していなくとも内容を表示できるように設定されている。一方、「Ｂ）登録場所」及び「Ｃ）今後の行き先」は暗号化されており、受信した端末装置が受信解読キーを登録していないと内容を表示できないように設定されている。これにより、安否情報のうち、機密性が低く緊急性が高い安否情報は受信した全ての端末装置で表示できるように、また、機密性の高い安否情報は特定の端末装置のみで表示できるようにすることが可能となる。
【００４６】
また、安否情報における項目を図７に示す項目に統一しておくことで、安否情報として「ＡｌＢ３Ｃ１」といった記号のみを入力して送信するだけで、「安否状態：無事。ケガなし、登録場所：会社・学校、今後の行き先：自宅」といった情報を通知することができるため、データ量を軽減することもできる。さらに万が一、他の端末装置でこの安否情報を受信された場合でも、安否情報における項目を統一していない端末ならば、記号のみの安否情報を受信することとなり、暗号化せずとも個人の安否情報の流出を抑制することが可能となる。
【００４７】
なお、図７の例では安否情報を項目分けし、項目毎に選択式で入力するようにしているが、自由文により安否情報を入力しても構わない。
図８は、本発明の一実施形態に係る情報通信端末装置の安否情報通信時の処理を示すフローチャートである。図８では、左側に自端末装置のフローを示し、自端末装置との比較のため、右側に他の端末装置のフローを示す。  
自端末装置における主制御部１１は、自端末装置の通信エリア内に通信可能な他の端末装置が存在するか否かを判定する（ステップ８ａ）。他の端末装置が通信エリア内に位置する場合（ステップ８ａのＹｅｓ）、主制御部１１は、他の端末装置との間でネットワークを確立する（ステップ８ｂ）。ネットワークが確立されると、自端末装置は、蓄積部９０に蓄積されている全ての安否情報を自動的に他の端末装置に送信する（ステップ８ｃ）。また、自端末装置は、他の端末装置から送信される安否情報を自動的に受信して蓄積部９０に蓄積する（ステップ８ｄ）。そして、自端末装置は、他の端末装置との安否情報の送受信が終了すると、ネットワークを切断し（ステップ８ｅ）、処理を終了する。
【００４８】
図９は、本発明の一実施形態に係る主制御部１１の安否情報受信後の処理を示すフローチャートである。  
主制御部１１は、受信部８０で受信された安否情報が蓄積部９０に蓄積されると、端末ＩＤ登録部１３に登録された送信元端末ＩＤを解読部６０に供給する（ステップ９ａ）。主制御部１１は、この安否情報に付加された自端末ＩＤが事前に登録した送信元端末ＩＤと一致するか否かを判定する（ステップ９ｂ）。一致する場合（ステップ９ｂのＹｅｓ）、キー登録部１２に登録された受信解読キーを解読部６０に供給する（ステップ９ｃ）。主制御部１１は、蓄積された安否情報が事前に登録した受信解読キーで解読可能であるか否かを判定する（ステップ９ｄ）。解読可能である場合（ステップ９ｄのＹｅｓ）、その受信解読キーを用いて安否情報を復号化する（ステップ９ｅ）。
【００４９】
続いて、主制御部１１は、自端末ＩＤを解読部６０に供給し（ステップ９ｆ）、安否情報に付加された送信先端末ＩＤが自端末ＩＤと一致するか否かを判定する（ステップ９ｇ）。一致する場合（ステップ９ｇのＹｅｓ）、その安否情報を出力部１００に供給し（ステップ９ｈ）、処理を終了する。
【００５０】
主制御部１１は、ステップ９ｄにおいて、事前に登録した受信解読キーで解読が不可能である場合、処理を終了する。また、主制御部１１は、ステップ９ｇにおいて、安否情報に付加された送信先端末ＩＤが自端末ＩＤと一致しない場合、処理を終了する。
図１０は、図３に示す安否情報伝達システムにおいて、端末装置ＴＭに入力した安否情報が他の端末装置Ｔ６〜Ｔｎを経て端末装置ＴＦに伝達する例を示した図である。ここで、端末装置ＴＭのユーザである「母」の安否情報を「Ｉｎｆｏ＿Ｍ」とし、他の端末装置Ｔ６〜Ｔｎの安否情報を表記上全て「Ｉｎｆｏ＿ＮＮ」としている。
【００５１】
まず、端末装置ＴＭの通信エリア内に端末装置Ｔ６が入ると、端末装置ＴＭは、蓄積部９０に蓄積する安否情報「Ｉｎｆｏ＿Ｍ」を端末装置Ｔ６に送信する。同様に、端末装置Ｔ６が保持する安否情報「Ｉｎｆｏ＿ＮＮ」が端末装置ＴＭに送信される（図示せず）。
【００５２】
次に端末装置Ｔ６は、端末装置Ｔ６の通信エリア内の端末装置Ｔ７に対し、端末装置Ｔ６が保持する安否情報「Ｉｎｆｏ＿ＮＮ」及び「Ｉｎｆｏ＿Ｍ」を送信する。ただし、端末装置Ｔ６の保持する安否情報「Ｉｎｆｏ＿ＮＮ」が端末装置Ｔ７に送信される矢印は図示していない。このように、安否情報「Ｉｎｆｏ＿Ｍ」は、近接する端末装置間の通信により伝達され、端末装置Ｔ６，Ｔ７…Ｔｎを経て端末装置ＴＦへ伝達される。端末装置ＴＦは、端末装置ＴＭの端末ＩＤ「０００００００００２」を事前に送信元端末として登録してあり、端末装置ＴＭの解読キー「ｏｋａｓａｎ」を事前に受信解読キーとして登録してあるため、受信した「Ｉｎｆｏ＿Ｍ」を解読することができる。
【００５３】
なお、各端末装置における安否情報は、各端末装置においてコピーされて送信されるため、端末装置内に蓄積され続ける。
また、安否情報のヘッダ部分にＦｒｏｍ又はＴｏとして付加された端末ＩＤはそのままの状態で蓄積部９０に保持されるため、Ｆｒｏｍ及びＴｏが合致する情報は受信しない、とすることで、情報通信端末装置は安否情報の二重受信を防ぐことが可能となる。
【００５４】
また、受信した安否情報に付加された送信先端末ＩＤが自端末ＩＤのみである場合、情報通信端末装置は、この安否情報の送信を自端末装置で終了させる。また、受信した安否情報に付加された送信先端末ＩＤが自端末ＩＤ以外も含んでいる場合、情報通信端末装置は、付加されている自端末ＩＤを削除したのち、この安否情報を端末装置間交換の対象として再度蓄積部９０に保持する。
【００５５】
図１１は、受信した安否情報の提示例を示す。また、このときの端末装置ＴＦの出力画面における提示例を図１２に示す。なお、図１２で自端末安否情報の詳細欄に記された「ＡｌＢ３Ｃ１」は自端末装置で入力した安否情報を記号化したものである。また、蓄積安否情報欄における件数表示は、自端末装置が保持している他の端末装置から伝達されてきた安否情報の件数である。事前に受信元として登録していない端末ＩＤからの安否情報は、その端末ＩＤ自体も、安否情報の中身も表示されない。
【００５６】
また、上記実施形態の出力画面の提示例では、時刻情報を記載していないが、端末装置自体に時計機能を具備させることで、安否情報に時刻情報を添付することが可能である。時刻情報を添付することにより、一度入力した安否情報を更新した場合、それら二つの安否情報を受信した際にどちらの安否情報が最新のものであるかを判断することが可能となる。
【００５７】
以上のように、上記一実施形態における端末装置ＴＭは、端末装置ＴＦ，ＴＣの端末ＩＤを送信先端末ＩＤ及び送信元端末ＩＤとして予め登録し、自端末装置の解読キー及び端末装置ＴＦ，ＴＣの受信解読キーを予め登録している。そして、端末装置ＴＭは、自端末ＩＤ及び送信先端末ＩＤを付加し、解読キーにより暗号化した後、近接する他の端末装置へ安否情報を自動的に送信する。端末装置ＴＭから自動的に送信された安否情報は、近接する他の端末装置から、その端末装置に近接する他の端末装置へと伝送され、いくつかの端末装置を経て端末装置ＴＦに伝達される。また、端末装置ＴＦは、近接する他の端末から安否情報を自動的に受信し、解読部６０で登録された受信解読キーを用いて復号化した後、父に出力する。このとき、解読部６０は、受信した安否情報に付加された自端末ＩＤが、登録した送信元端末ＩＤである端末装置ＴＭの端末ＩＤと一致するか否かを判定し、一致する場合、端末装置ＴＭに対する受信解読キーでその安否情報を復号化する。そして、解読部６０は、復号化された安否情報に付加された送信先端末ＩＤが自端末ＩＤと一致するか否かを判定し、一致する場合、安否情報を出力部１００に供給している。
【００５８】
すなわち、情報通信端末装置は、ネットワークを経由せず、端末装置間で通信し合いながら、事前に登録した家族や知人が使用する端末装置へ安否情報を伝達することが可能となる。つまり、災害時等において、ネットワークが輻輳している場合であっても、スムーズに安否情報を伝達することができる。
【００５９】
また、情報通信端末装置は、他の端末装置を介して、予め指定した端末装置に安否情報を伝達でき、また、指定した端末装置からの安否情報を取得することが可能となる。つまり、サーバ装置等に安否情報が蓄積されることが無いため、ユーザは、サーバ装置等への問い合わせをせずとも安否情報を取得することができる。
【００６０】
また、情報通信端末装置は、安否情報の送信先の指定及び暗号化により、指定した端末装置のみで安否情報を表示させることが可能となる。つまり、自身の安否情報を知らせたくない相手の安否情報の閲覧を防止することができ、安否情報という個人情報を保護することができる。
【００６１】
したがって、本発明に係る情報通信端末装置、安否情報伝達方法、情報通信端末装置の処理を実行するためのプログラム及びそのプログラムを記録した記録媒体は、災害時等において既存のネットワークが輻輳している状態であっても、ユーザが能動的に安否情報を確認する必要が無く、ユーザが希望する相手に対してのみ安否情報を伝達することができる。
【００６２】
なお、本発明は、上記一実施形態に限定されるわけではない。例えば、上記一実施形態では、事前に登録した端末ＩＤに基づいて安否情報を取得する例について説明したが、事前登録に限定されるわけではなく、例えば、安否情報入力時に端末ＩＤを登録する場合でも同様に実施可能である。
【００６３】
また、上記一実施形態では、蓄積部９０に、端末ＩＤが付加された安否情報が蓄積される例について説明したが、情報通信端末装置にＧＰＳ（Global Positioning System）等の位置計測が可能な機能を具備させ、安否情報の入力場所において位置情報を取得し、安否情報をこの位置情報と共に蓄積部９０に蓄積しても構わない。
【００６４】
さらに、本発明は、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００６５】
【図１】本発明の一実施形態に係る安否情報伝達システムの構成を示す図である。
【図２】上記実施形態の情報通信端末装置の機能構成を示すブロック図である。
【図３】上記実施形態の安否情報伝達システムの構成例を示す図である。
【図４】上記実施形態の主制御部の事前設定の処理を示すフローチャートである。
【図５】上記実施形態の主制御部の事前設定後の出力例を示す図である。
【図６】上記実施形態の主制御部の安否情報入力時の処理を示すフローチャートである。
【図７】上記実施形態の入力部から安否情報を入力する際の入力画面の一例を示す図である。
【図８】上記実施形態の情報通信端末装置の安否情報通信時の処理を示すフローチャートである。
【図９】上記実施形態の主制御部の安否情報受信後の処理を示すフローチャートである。
【図１０】図３の安否情報伝達システムにおいて、端末装置から送信された安否情報が、指定した端末装置に伝達する例を示した図である。
【図１１】上記実施形態の情報通信端末装置で受信された安否情報の提示例を示す図である。
【図１２】上記実施形態の情報通信端末装置の出力例を示す図である。
【符号の説明】
【００６６】
１０…制御ユニット
１１…主制御部
１２…キー登録部
１３…端末ＩＤ登録部
２０…入力部
３０…記憶部
４０…暗号化部
５０…付加部
６０…解読部
７０…送信部
８０…受信部
９０…蓄積部
１００…出力部
Ｔ１〜Ｔ７，Ｔｎ，ＴＦ，ＴＭ，ＴＣ…情報通信端末装置
【図１】
2009259044.tif 000003
【図２】
2009259044.tif 000004
【図３】
2009259044.tif 000005
【図４】
2009259044.tif 000006
【図５】
2009259044.tif 000007
【図６】
2009259044.tif 000008
【図７】
2009259044.tif 000009
【図８】
2009259044.tif 000010
【図９】
2009259044.tif 000011
【図１０】
2009259044.tif 000012
【図１１】
2009259044.tif 000013
【図１２】
2009259044.tif 000014